(57)【特許請求の範囲】
【請求項１】
建物の外壁に設置した換気ガラリに対して着脱自在な換気ガラリ用液溜め部材であって、換気ガラリに設けた通気開口のガラリ部前面の孔縁に対して係脱可能なガラリ部用取付け片か、換気ガラリのドレン孔の孔縁に対して係脱可能なドレン孔用取付け片かの少なくとも何れかを、開口縁が換気ガラリの下部に位置する容器状の液溜め部に突設した換気ガラリ用液溜め部材。
【請求項２】
前記ドレン孔用取付け片が、換気口に差込まれて固着される装着用筒部と連通する本体枠部か、該本体枠部よりも大径で換気口と装着用筒部との間の隙間と連通するフランジ枠部か、の何れかに形成されているドレン孔の孔縁に対して係脱可能となっている請求項１記載の換気ガラリ用液溜め部材。
【請求項３】
前記ガラリ部用取付け片か前記ドレン孔用取付け片の少なくとも何れかが容器状の液溜め部の前方壁から後方壁側へ突出する突片として形成されており、該取付け片にその長手方向に沿って換気ガラリに係止する爪部を複数設けた請求項１または請求項２記載の換気ガラリ用液溜め部材。
【請求項４】
前記ガラリ部用取付け片が、前記液溜め部の前方壁から後方壁側へ突出し、ガラリ部前面の前記孔縁に対して上から係止する爪部を有する突片として形成されており、前記ドレン孔用取付け片が前記液溜め部の前方壁から後方壁側へ突出し、ドレン孔の前記孔縁に対して下から係入する爪部を有する突片として形成されている請求項1〜請求項３何れか１項記載の換気ガラリ用液溜め部材。
【請求項５】
換気ガラリの筒状枠部の上側外周面に掛け止められるとともに液溜め部に固定した固定用吊り具を備える請求項１〜請求項４何れか１項記載の換気ガラリ用液溜め部材。
【請求項６】
容器状の液溜め部を前方壁、後方壁及びそれらの間に介在する周壁にて形成するとともに、該後方壁の上縁に本体枠部の下端側外周面と相応する形状の湾曲縁部を形成し、且つ、該後方壁の湾曲縁部を前記本体枠部の下端側外周面に沿わせた取付け状態で、該前方壁と該周壁の上縁を、ガラリ部と本体枠部の下端側を被覆する高さ位置に形成した請求項１〜請求項５の何れか１項記載の換気ガラリ用液溜め部材。
【請求項７】
後方壁の上縁に形成した湾曲縁部の両端を筒状枠部の下端側外周面から離間する方向へ外向きに延長させた延長縁部を形成して液溜め部の該開口縁を拡大した請求項６記載の換気ガラリ用液溜め部材。
【請求項８】
換気口と換気ガラリの装着用筒部との間に生じた液滴が流入可能な流入口を前記液溜め部の後方壁に備えた請求項１〜請求項７の何れか１項記載の換気ガラリ用液溜め部材。
【発明の詳細な説明】
【０００１】
【発明の属する技術分野】
本発明は、建物内を通る換気用ダクトの建物壁面に開口する換気口に設置される換気ガラリに着脱自在であって、換気ガラリに付着する液滴を貯留する換気ガラリ用液溜め部材に関する。
【０００２】
【従来の技術】
建築物の外壁に開口する換気口には、建物内側からの換気流を効率的に屋外へ排気し、また屋外からの雨水の浸入を防止する換気ガラリが設けられている。
【０００３】
このような換気ガラリは、建物の外壁部分に取付けられているため雨水の浸入を受けやすく、又、外気に接している換気ガラリと換気口から流出する換気流との温度差等により、換気流が換気ガラリに触れて結露が生じ易くなっている。そして、一旦換気ガラリの内外に付着した液体は、その量が多いときは換気ガラリの下方に液滴となって滴り落ちる場合があり、これを放置すると、換気ガラリの下を通る人に液滴が付いたり、この液滴が垂れた箇所にシミが生じたりする問題が生じている。この問題に対し、例えば換気ガラリ内に液体貯留部を設けて液滴を貯めるようにし、換気ガラリから直接液滴が垂れるのを防ぐようにした換気ガラリがあり、実公平３−３２９１２号公報に類似の技術が記載されている。
【０００４】
【発明が解決しようとする課題】
しかしながら、このような液体貯留部を有する換気ガラリにおいては、換気ガラリの一部を液体貯留部としているため、液体貯留部の容量に限度がある。そのため、大量の液滴が発生する換気ガラリにあっては液滴の全てを貯留しておくことができなかった。また、液体貯留部に溜まった液滴の処理は自然乾燥を待って行われるため、常時液滴が溜まっているような場合もあり、そのようなときには液体貯留部にコケが発生し、虫が湧くなどの問題が生じ、不衛生であった。さらに、この液体貯留部には、換気ガラリの内部に生じた液滴は溜めることができるが、換気ガラリの外表面に付着する液滴は、換気ガラリの下方へ流れ落ちるに任せるしか対処方法がないため、換気ガラリの外表面に生じる液滴は、貯留することが不可能であった。さらに、このような問題が全く検討されずに結露対策などが全く採られていない従来タイプの換気ガラリが既に設置されている場合には、換気ガラリ自体を、液体貯留部を有するタイプに取り替える必要があった。
【０００５】
そこで、本発明は、既に建物に設置されている換気ガラリに取付け可能で、換気ガラリの内外側に付着する液滴を貯留して、液滴が換気ガラリから垂れるのを防止し、かつ換気ガラリを衛生的に保つことができるだけでなく、美観にも優れた部材を得ることを目的としてなされたもので、既設の換気ガラリに着脱可能な換気ガラリ用液溜め部材を提供するものである。
【０００６】
【課題を解決するための手段】
即ち本発明は、建物の外壁に設置した換気ガラリに対して着脱自在な換気ガラリ用液溜め部材であって、換気ガラリに設けた通気開口のガラリ部前面の孔縁に対して係脱可能なガラリ部用取付け片か、換気ガラリのドレン孔の孔縁に対して係脱可能なドレン孔用取付け片かの少なくとも何れかを、開口縁が換気ガラリの下部に位置する容器状の液溜め部に突設した換気ガラリ用液溜め部材を提供する。
【０００７】
この換気ガラリ用液溜め部材によれば、換気ガラリに設けた通気開口のガラリ部前面の孔縁に対して係脱可能なガラリ部用取付け片か、換気ガラリのドレン孔の孔縁に対して係脱可能なドレン孔用取付け片かの少なくとも何れかを、開口縁が換気ガラリの下部に位置する容器状の液溜め部に突設したため、換気ガラリに対して簡単に、取付け、取り外しをすることができる。さらに、換気ガラリとは別体に設けられた液溜め部材を取付けるため、大量の液滴を貯留することができ、既設の換気ガラリを使用したまま換気ガラリ自体には何ら手を加えることなく、換気ガラリからの液だれを防止することができる。
【０００８】
ガラリ部にある通気開口の孔縁と係脱可能な取付け片を有していれば、換気ガラリの正面から換気ガラリ用液溜め部材を取付けることができ、取付けが容易であるし、換気ガラリのガラリ部に取付け可能である点で汎用性が高い。また、ガラリ部は建物の正面に向いているため、ガラリ部に係止した取付け片の係止を簡単に解くことができ、換気ガラリ用液溜め部材の取り外しも容易である。また、換気ガラリの本体枠部に形成したドレン孔の孔縁と係脱可能な取付け片を有していれば、換気ガラリの下方から換気ガラリ用液溜め部材を係止することができるため、換気ガラリに対する液溜め部材の高さ位置を調整して取付けることができるし、高所に換気ガラリが設置されていて、下方からしか換気ガラリ用液溜め部材を取付けることができないような場合にも取付けがし易い。さらに、換気ガラリのフランジ枠部に形成したドレン孔の孔縁と係脱可能な取付け片を有していれば、換気ガラリと換気ガラリ用液溜め部材の固着性をより高めることができる。
【０００９】
取付け片が２以上あれば、２箇所以上で換気ガラリと換気ガラリ用液溜め部材が固着されるため、液溜め部材の固着力が高まるとともに、種々の方向から予期せず加えられる外力に対して外れにくくなる。特に、換気ガラリに係止する爪部が互いに向き合って形成されていれば、係止が外れやすい特定方向がなくなるため、何れの方向から予期せぬ外力が作用しても外れにくくなる。
【００１０】
また、取付け片にその長手方向に沿う複数の爪部を有していれば、換気ガラリの本体枠部のダクト方向の幅（奥行き）が異なる種々の換気ガラリに対しても取付けが可能となり、設置されている換気ガラリの大きさ毎に異なるタイプの液溜め部剤を準備する必要なく、１つのタイプで種々の換気ガラリに対応できる。
【００１１】
また、本発明の換気ガラリ用液溜め部材は、換気ガラリの筒状枠部の上側外周面に掛け止められるとともに液溜め部に固定した固定用吊り具を備える換気ガラリ用液溜め部材を提供する。
【００１２】
この換気ガラリ用液溜め部材によれば、筒状枠部の上側外周面に掛け止めた枠体を有する固定用吊り具を備えているため、この枠体が換気ガラリの筒状枠部を包囲し押圧するため、液溜め部材の換気ガラリに対する取付け、取り外しが簡単にできる。そのため、既設の換気ガラリを使用したまま、この換気ガラリからの液だれを防止することができる。
【００１３】
さらに、本発明は、容器状の液溜め部を前方壁、後方壁及びそれらの間に介在する周壁にて形成するとともに、後方壁の上縁に本体枠部の下端側外周面と相応する形状の湾曲縁部を形成し、且つ、後方壁の湾曲縁部を本体枠部の下端側外周面に沿わせた取付け状態で、前方壁と周壁の上縁を、ガラリ部と本体枠部の下端側を被覆する高さ位置に形成した換気ガラリ用液溜め部材を提供する。
【００１４】
この換気ガラリ用液溜め部材によれば、後方壁の上縁に本体枠部の下端側外周面と相応する形状の湾曲縁部を形成したため、後方壁の湾曲縁部を本体枠部の下端側外周面に沿わせた取付け状態とすることができ、かつこの状態で、開口縁をなす前方壁と周壁の上縁を、ガラリ部と本体枠部の下端側を被覆する高さ位置に形成することができる。そのため、液滴を相当量貯留することができると共に、ガラリ部の下方を覆うため、換気ガラリ内に溜まった液滴が換気流にのって換気ガラリ外部に飛び出すことがない。
【００１５】
さらに、液溜め部が、後方壁の上縁に形成した湾曲縁部の両端を筒状枠部の下端側外周面から離間する方向へ外向きに延長させた延長縁部を形成していれば、液溜め部の開口縁が拡大することで、換気ガラリから落ちる液滴を液溜め部内へ確実に流入させることが可能となる。
【００１６】
また本発明は、換気口と換気ガラリの装着用筒部との間に生じた液滴が流入可能な流入口を液溜め部の後方壁に備えた換気ガラリ用液溜め部材を提供する。この液溜め部材によれば流入口を備えているために、換気ガラリのフランジ枠部の外側や、そのフランジ枠部に設けられた裏ドレン孔から流出した液滴も外に漏らさず液溜め部材内に流入させ貯留することができる。
【００１７】
【発明の実施の形態】
以下、本発明の実施形態について図面を参照しつつ説明する。
【００１８】
図１は、本発明の換気ガラリ用液溜め部材が、換気ガラリに取付けられた状態を示す外観斜視図、図２は、換気ガラリ用液溜め部材が取付けられた換気ガラリが壁に設置されている状態を表す概略断面図である。まず、図１及び図２に基づいて、本発明の換気ガラリ用液溜め部材の取付け対象となる換気ガラリについて簡単に説明する。
【００１９】
換気ガラリ１は、建物の壁Ｗに開口した換気口Ｏに装着するための装着用筒部２と、この装着用筒部２より屋外側に設けられ且つこの装着用筒部２の内法よりも大きな内法サイズとした筒状枠部３、及びガラリ部４を有している。
【００２０】
筒状枠部３は、換気口に差込まれて固着される装着用筒部２と連通する本体枠部５と、この本体枠部５よりも大径で、換気口と装着用筒部２との間の隙間と連通するフランジ枠部６とで構成されている。
【００２１】
ガラリ部４は、換気ガラリ１の前面部にあり、細長いスリット状とした通気開口７が互いに平行な状態で複数形成され、この各通気開口７の孔縁８に薄い平板状の傾斜フィン９が形成されている。この傾斜フィン９と通気開口７は、平板状の前面部から傾斜フィン９を切り起こすことで通気開口７が得られるように形成されており、切り起こさないで残った部分が、通気開口７の孔縁８となると共に、通気開口７を仕切る縦線状のガラリ桟１０、及び円周状の枠部１１となる。
【００２２】
本体枠部５の下端には、換気ガラリ１から液滴を排出する主ドレン孔１２が穿設され、また、フランジ枠部６の下端の屋外側角の部分には、換気口Ｏと装着用筒部２との間に溜まった液滴を通す裏ドレン孔１３が穿設されている。
【００２３】
次に、この換気ガラリ１に取付ける本発明の第１実施形態に係る換気ガラリ用液溜め部材２１について説明する。図３には、第１実施形態による換気ガラリ用液溜め部材２１の斜視図を示した。また、図４には、分図（ａ）に換気ガラリ用液溜め部材２１の正面図、分図（ｂ）にその平面図、分図（ｃ）にその右側面図を示した。
【００２４】
図３，図４に示すように、換気ガラリ用液溜め部材２１は、換気ガラリ１から流入する液体を貯留する容器状の液溜め部２２と、換気ガラリ１に取付け可能とする３つの取付け片（第１取付け片２３、第２取付け片２４、第３取付け片２５）と、建物内の換気口Ｏと装着用筒部２との間に生じた液滴を通す流入口２６とから構成され、合成樹脂を成形して作製することができる。
【００２５】
液溜め部２２は、前方壁２７と後方壁２８、及びそれらの間に介在する周壁２９により形成され、上部が開口した開口縁３０を有し、液体を貯留させることが可能な断面凹形状をなしている。そして、換気ガラリ１から垂れ落ちる液滴を受け止めるべく、換気ガラリ１の本体枠部５の下側と、ガラリ部４の下側を覆っている。液溜め部２２の前方壁２７及び周壁２９は、外観上デザイン的に注目される箇所であり、その上端は水平に形成されているとともに、前方壁２７から周壁２９にかけて段差が設けられて美的に形成されている。液溜め部２２の後方壁２８は、その上端が、換気ガラリ１の本体枠部５の下端側外周面と相応するように湾曲状の形状とされ、湾曲縁部３１を形成している。後方壁２８の上縁がなめらかな湾曲状に削られてこの湾曲縁部３１が形成されているため、換気ダクト１の本体枠部５の径が大きくても小さくても、本体枠部５の外周面に相応して沿わせることができるようになっている。そして、後方壁２８にはさらに、後方壁２８の上縁に形成した湾曲縁部３１の両端が、換気ガラリ１の筒状枠部３の下端側外周面から離間する方向へ外向きに延長させた延長縁部３２が形成されており、液溜め部２２の開口縁３０を拡大している。
【００２６】
図５には、換気ガラリ用液溜め部材２１の取付け状態の拡大図を示す。図５に示すように、第１取付け片２３は、液溜め部２２の前方壁２７に基端を有し後方壁２８側へ棒状に突設した棒状部３３を有し、この棒状部３３の端部に、換気ガラリ１の通気開口７の孔縁８である枠部１１に上側から係止する爪部３４を備えている。また、第２取付け片２４は、第１取付け片２３と同様に、前方壁２７に基端を有し後方壁２８へ向かって突設した棒状部３５を有し、この棒状部３５の端部に、換気ガラリ１の本体枠部５下端に設けられた主ドレン孔１２に下側から係止する爪部３６を備えている。第３取付け片２５は、液溜め部２２の後方壁２８のほぼ中央に基端を発し外側へＬ字形に突起した爪部３８を備えており、フランジ枠部６の下端であって屋外側（ガラリ部４側）に設けられた裏ドレン孔１３に係止されている。
【００２７】
流入口２６は、液溜め部２２の後方壁２８のほぼ中央部であって、第３取付け片２５の下方に設けられ、換気口Ｏと、装着用筒部２との間に生じた液滴を液溜め部２２に流入させるものである。この流入口２６には、後方壁２８に設けた開口部の周囲から延設され、裏ドレン孔１３の下側を覆うように導入受部３９が形成されている。
【００２８】
液溜め部２２の下部には、貯留した液体を抜くための開口４０があり、蓋４１によって密閉されている。
【００２９】
次にこの換気ガラリ用液溜め部材２１の作用について説明する。
【００３０】
換気ガラリ用液溜め部材２１は、その液溜め部２２の後方壁２８の湾曲縁部３１を本体枠部５の下端側外周面に沿わせた状態で取付けることにより、換気ガラリ１のガラリ部４と筒状枠部３の下端側を覆う高さ位置に液溜め部２２が形成される。また、後方壁２８には筒状枠部３の下端側外周面から離間する方向へ外向きに延びる延長縁部３２を備えて液溜め部２２の開口縁３０が拡大している。したがって、換気ガラリ１のガラリ部４と本体枠部５を含めた部分の下方への投影面は、この液溜め部材２１の開口縁３０内に収まる大きさとなっている。このため、換気口Ｏ又は換気ガラリ１の内側に入った雨水や結露した液滴は、換気ガラリ１内壁面を通じて本体枠部５下端に設けられた主ドレン孔１２を通り、換気ガラリ用液溜め部材２１に滴下する。換気ガラリ１の外表面に付いた液滴は、換気ガラリ１の外表面を伝って換気ガラリ用液溜め部材２１に滴下する。
【００３１】
さらに、フランジ枠部６の下方には流入口２６に通じる導入受部３９が設けられている。このため、換気口Ｏと装着用筒部２との間に生じた液滴は、換気口Ｏからフランジ枠部６内側を通り、裏ドレン孔１３を通じて流れ出、導入受部３９に落ちて流入口２６に流れ込むことにより液溜め部２２に貯留される。従って、換気ガラリ１内や、換気口Ｏ内に生じた液滴、換気ガラリ１の外部に付着した液滴、及び換気口Ｏと装着用筒部２との間に生じた液滴も、この液溜め部材２１に流入することになる。そして、たとえ、換気口Ｏ内や、換気ガラリ１の下部に溜まった液滴が換気流に乗って外部に吹き出そうになっても、ガラリ部４の下側を覆う換気ガラリ用液溜め部材２１の前方壁２７に遮られ、外部に流出することはない。
【００３２】
第１取付け片２３、第２取付け片２４，第３取付け片２５の何れの取付け片も爪部３４，３６，３８が設けられた構造を有するため、この爪部３４，３６，３８を所定の孔縁に係止することにより簡単に換気ガラリ１に取付けることができる。また、前方壁２７から突設した第１取付け片２３は、換気ガラリ１の枠部１１を上側から係止し、また前方壁２７から突設した第２取付け片２４は、換気ガラリ１の主ドレン孔１２を下側から係止しているため、第１取付け片２３と第２取付け片２４とで換気ガラリ１を挟持する構成となっており、換気ガラリ用液溜め部材２１が換気ガラリ１にしっかりと取付けられている。さらに、第３取付け片２５が後方壁２８から突設して裏ドレン孔１３に係止しているため、換気ガラリ用液溜め部材２１の前方壁２７側からだけでなく、後方壁２８側からも換気ガラリ１に固定され、換気ガラリ用液溜め部材２１は換気ガラリ１に確実に取付けられており不意に外れることはない。一方、この換気ガラリ用液溜め部材２１を掃除する場合等、換気ガラリ１から取り外す必要があるときは、例えば、第１取付け片２３の棒状部３３を上側に押し曲げることにより棒状部３３を弾性変形させて爪部３４の係止を取り外すことにより、簡単に換気ガラリ１から換気ガラリ用液溜め部材２１を取り外すことが可能である。
【００３３】
なお、換気ガラリ用液溜め部材２１下部に設けた開口４０は、通常は蓋４１によって密閉しておくが、掃除の際などに蓋４１をはずして液溜め部２２に溜まった液滴を取り除くことができ、液溜め部２２内を衛生的に保持することができる。
【００３４】
次に、本実施形態の変形例について説明する。
【００３５】
第１取付け片２３は、その棒状部３３の端部に爪部３４を設けていたが、図６に示すように、端部だけでなく中間部にも爪部を設けることが可能である。このように棒状部３３の長手方向に沿って複数の爪部を設けておくと、本体枠部のダクト方向長さが異なる複数タイプの換気ガラリに取付け可能となる。即ち、図６（ａ）に示したように、本体枠部５ａの奥行きが短く薄いタイプの換気ガラリ１ａでは、第１取付け片２３の端部に設けた爪部３４ａが換気ガラリ１ａとの係合に作用する。一方、図６（ｂ）に示したように、本体枠部５ｂの奥行きが長く厚いタイプの換気ガラリ１ｂでは、第１取付け片２３の中間部に設けた爪部３４ｂが換気ガラリ１ｂとの係合に作用する。なお図６では、第１取付け片２３だけが設けられた例で説明したが、第２取付け片２４についても第１取付け片２３と同様に複数の爪部を設けた構成とすることが可能である。
【００３６】
取付け片の数及び配置については、本実施形態で示したように第１取付け片２３、第２取付け片２４、及び第３取付け片２５が形成されていれば換気ガラリ１への固着性の点で好ましいが、場合によっては、そのうちの何れか一つ又は二つの取付け片だけを設けた構造とすることもできる。但し、第３取付け片２５だけで固定することは、液溜め部２２に液滴が溜まるとその重量で換気ガラリ用液溜め部材２１が外れる可能性があるため好ましくない。なお、換気ガラリ用液溜め部材２１の換気ガラリ１への固着性を高めるため、液溜め部２２の後方壁２８とフランジ枠部６を両面テープで接着するような補強対策を採ることも可能である。
【００３７】
また、各取付け片２３，２４，２５の形状についても、図面に示した以外の形状とすることが可能であり、通気開口７の孔縁８や、主ドレン孔１２、裏ドレン孔１３に係合できる形状であれば良い。例えば、第１取付け片２３と第２取付け片２４を水平面方向に並列して配置し、それぞれ通気開口７の孔縁８であるガラリ桟１０に係合させることにより換気ガラリ用液溜め部材２１を換気ガラリ１に係止することも可能である。
【００３８】
なお、この換気ガラリ用液溜め部材２１の取付け対象とする換気ガラリ１についても、図示した形状のものに限定されることはない。例えば、通気開口７が水平方向に並列して並ぶような換気ガラリを含め、既設の換気ガラリを対象とすることができる。
【００３９】
図７は、第２実施形態による換気ガラリ用液溜め部材５１の外観斜視図である。この第２実施形態による換気ガラリ用液溜め部材が取付け可能となる換気ガラリについては、第１実施例と同様に既設の換気ガラリを対象とできる。また、この換気ガラリ用液溜め部材５１の構成中、第１実施形態で示したものと同一の箇所は説明を省略し、相違点のみ以下に説明する。
【００４０】
換気ガラリ用液溜め部材５１には、換気ガラリ１の本体枠部５を包囲し押圧する環状の枠体５２からなる固定用吊り具５３を有している。この樹脂からなる固定用吊り具５３は、その先端部に形成されている爪部５４を、液溜め部５５の枠体取付け孔５６に差込み係止することにより、液溜め部５５と一体となっている。
【００４１】
この換気ガラリ用液溜め部材５１は、換気ガラリ１の筒状枠部３と装着用筒部２とを連接しているビスを取り外し、筒状枠部３と装着用筒部２の各ビス孔に、枠体５２の上部ほぼ中央に設けたビス孔５７とを連ねてビス止めすることにより、換気ガラリ１に取付けることができる。
【００４２】
この第２実施形態による換気ガラリ用液溜め部材５１は、樹脂からなる枠体５２を有する固定用吊り具５３による弾性力により、換気ガラリ１の本体枠部５を挟持するとともに、ビス止めにより換気ガラリ１に取付けられているため、換気ガラリ１に確実に固定することができる。
【００４３】
第２実施形態による換気ガラリ用液溜め部材５１の変形例として、図８（ａ）や図８（ｂ）に示すような固定用吊り具５８，５９とすることができる。図８に示した固定用吊り具５８，５９は何れもネジ手段６０、６１によって固定用吊り具５８，５９の径を小さくすることによる挟持力で、換気ガラリ１の本体枠部５を押圧することにより、換気ガラリ用液溜め部材５１を換気ガラリ１に固定することができる。
【００４４】
また、何れの固定用吊り具５８，５９も本体枠部５ではなく、フランジ枠部６を包囲することにより固定することも可能であるが、本体枠部５の方がその厚みがあるため、安定した取付け状態を得るためには、本体枠部５に固定する方が好ましい。
【００４５】
換気ガラリ用液溜め部材２１に開口４０を設けない構造としても良い。この場合には、換気ガラリ１から、換気ガラリ用液溜め部材２１を取り外して洗浄することにより、常に換気ガラリ用液溜め部材２１を清浄に保つことができる。
【００４６】
【発明の効果】
この換気ガラリ用液溜め部材によれば、既設の換気ガラリに対して簡単に取付け、取り外しができる。そのため、既設の換気ガラリを使用したまま、この換気ガラリからの液だれを防止することができる。
【００４７】
さらに、本発明によれば、換気ガラリのガラリ部と本体枠部の下端側を被覆する高さ位置に液溜め部材を形成することができ、液溜め部の開口縁が大きいことで、液滴を相当量貯留することが可能であると共に、換気ガラリの内外に溜まった液滴を漏らさず液溜め部材内に流入させることができる。
【図面の簡単な説明】
【図１】本発明の換気ガラリ用液溜め部材が換気ガラリに取付けられた状態を示す外観斜視図である。
【図２】本発明の換気ガラリ用液溜め部材が、既に建物の壁面に設置されている換気ガラリに取付けられた状態を示す概略断面図である。
【図３】本発明の第１実施形態に係る換気ガラリ用液溜め部材の斜視図である。
【図４】本発明の第１実施形態に係る換気ガラリ用液溜め部材であり、分図（ａ）は、その正面図、分図（ｂ）は、その平面図、分図（ｃ）はその右側面図である。
【図５】本発明の第１実施形態に係る換気ガラリ用液溜め部材の換気ガラリへの取付け状態を示す概略拡大図である。
【図６】本発明の換気ガラリ用液溜め部材の取付け片の取付け状態を説明する側面図である。
【図７】本発明の第２実施形態に係る換気ガラリ用液溜め部材の斜視図である。
【図８】本発明の第２実施形態に係る換気ガラリ用液溜め部材の変形例の取付け状態を示す正面図であり、分図（ａ）、分図（ｂ）はそれぞれ異なったネジ手段を有する固定用吊り具を示す。
【符号の説明】
１、１ａ、１ｂ  換気ガラリ
２  装着用筒部
３  筒状枠部
４  ガラリ部
５、５ａ、５ｂ  本体枠部
６  フランジ枠部
７  通気開口
８  通気開口の孔縁
９  傾斜フィン
１０  ガラリ桟
１１  枠部
１２  主ドレン孔
１３  裏ドレン孔
２１、５１  換気ガラリ用液溜め部材
２２、５５  液溜め部
２３  第１取付け片
２４  第２取付け片
２５  第３取付け片
２６  流入口
２７  前方壁
２８  後方壁
２９  周壁
３０  開口縁
３１  湾曲縁部
３２  延長縁部
３３、３５  棒状部
３４、３４ａ、３４ｂ、３６、３８、５４  爪部
３９  導入受部
４０  開口
４１  蓋
５２  枠体
５３、５８、５９  固定用吊り具
５６  枠体取付け孔
５７  ビス孔
６０、６１  ネジ手段
Ｏ  換気口
Ｗ  壁
【図１】
0003847180.tif 000002
【図２】
0003847180.tif 000003
【図３】
0003847180.tif 000004
【図４】
0003847180.tif 000005
【図５】
0003847180.tif 000006
【図６】
0003847180.tif 000007
【図７】
0003847180.tif 000008
【図８】
0003847180.tif 000009